(57)【要約】【課題】面を着用する前巻きつける面手拭い代わりにかぶるパイロットハットのようなものであって、稽古の際頭から垂れてくる汗及び頭に加わる衝撃を効果的に吸収し、髪の毛が乱れないようにすると共に、面を容易に着用することができ、稽古の後には脱いで汗を拭き取れる剣道用の帽子を提供すること。【解決手段】面を着用する前、頭にかぶる剣道用の帽子において、前記剣道用の帽子１は、着用者の額から前頭部まで覆う前面部１０と、該前面部から後方へ延長し着用者の側頭部及び後頭部を覆う背面部２０とを含むことを特徴とする。【選択図】図１
2007217859.tif 000002
【特許請求の範囲】
【請求項１】
剣道用の面を着用する前に頭部に着用する剣道用の帽子であって、
前記剣道用の帽子は、
前記頭部のうち額から前頭部を覆うように形成された前面部と、
前記前面部から後頭部方向に延長して形成されて側頭部及び後頭部を覆うように形成された背面部と、
を備えることを特徴とする、剣道用の帽子。
【請求項２】
前記前面部と背面部とは、二重の織物により形成されることを特徴とする、請求項１に記載の剣道用の帽子。
【請求項３】
前記背面部は、着用者のうなじを覆うように前記後頭部の位置から下方に延長して形成されることを特徴とする、請求項１又は２に記載の剣道用の帽子。
【請求項４】
前記背面部は、着用者の両耳を覆うように前記側頭部の下方に延長して形成されることを特徴とする、請求項１〜３のいずれかに記載の剣道用の帽子。
【請求項５】
前記前面部は、汗の吸収及び緩衝のために、前記額が位置する部分に二重覆い部をさらに備えることを特徴とする、請求項１〜４のいずれかに記載の剣道用の帽子。
【請求項６】
前記二重覆い部は、３又は４重の織物により形成されることを特徴とする、請求項５に記載の剣道用の帽子。
【請求項７】
前記二重覆い部は、その内部に緩衝部を有することを特徴とする、請求項５又は６に記載の剣道用の帽子。
【請求項８】
前記背面部の中で両耳を覆う部分は、音の円滑な疎通又は通過のために、前記背面部の他の部分よりも薄く形成されるか、又は網状の布で形成されるか、或いは、少なくとも１つの穴が形成された聴覚維持部を有することを特徴とする、請求項４〜７のいずれかに記載の剣道用の帽子。
【請求項９】
前記二重の織物は、内皮と外皮とにより形成され、それぞれ異なる色相や模様を有しており、裏返して着用可能に形成されることを特徴とする、請求項２〜８のいずれかに記載の剣道用の帽子。
【発明の詳細な説明】
【技術分野】
【０００１】
本発明は、剣道用の帽子に関し、例えば、剣道用の面を被る前に頭部に巻く手拭いの代わりに被るパイロットハットのようなものであって、稽古の際、頭部から垂れてくる汗を吸収し、さらに、頭部に加わる衝撃を効果的に吸収するための剣道用の帽子に関する。そして、面を着用する際に、髪の毛が乱れないようにし、稽古の後には脱いで汗を拭き取ることが可能な剣道用の帽子に関する。
【背景技術】
【０００２】
従来、剣道をする際、長方形の面手拭いを巻き付けたり、折り畳んだりして頭にかぶってから剣道用の面を着用する必要があり、手間や時間がかかるという問題点があった。
【０００３】
ここで、従来の面手拭いのつけ方について簡単に説明する。
【０００４】
図１０は、従来の長方形の面手拭いを巻きつける方法を示す説明図である。まず、（１）長方形の面手拭いを真正面にして両手で両端を持ち、（２）面手拭いの左側を強く頭に巻きつける。この際、巻きつけた左側の面手拭いを少し残しておく。（３）残った面手拭いの右側をまわして、顔の正面を覆う。（４）後頭部で先に残した面手拭いの左側と結ぶ。この際、頭は面手拭いに包まれた状態、顔は面手拭いで覆われた状態になる。（５）顔を覆っている部分を上にめくり上げれば完成である。このとき、耳は外部に出される。
【０００５】
図１１は、従来の長方形の面手拭いを巻きつける他の方法を示す説明図である。まず、（１）両手で面手拭いの両端を持ち、面手拭いの中央部を後頭部に当てる。（２）面手拭いの左側を強く頭に巻きつける。同じように面手拭いの右側を強く頭に巻きつける。（３）左右のつかんでいる両端を持ち替えて結ぶ。（４）顔を覆っている部分を上にめくり上げる。（５）左右に引っ張れば完成である。このとき、耳は隠れる。
【０００６】
図１２は、従来の長方形の面手拭いを折り畳む方法を示す説明図である。この方法は、図１０及び図１１における巻きつけ方法と異なっており、前もって面手拭いを円錐形に折り畳んでかぶる方法である。まず、（１）長方形の面手拭いを広げた状態で長手方向に半分折る。（２）左右の角が斜め上にくるように約１／３ずつ折る。（３）これを裏返す。（４）面手拭いの水平の部分を持ち上げてその中へ角側を折り込む。（５）厚くなった側を前頭部にくるようにしてかぶれば完成である。このとき、耳は隠れる。
【０００７】
前述した三通りの方法によって面手拭いを頭につける場合、ずれないように巻きつけることが難しく、間違って折り畳んで何度も繰り返すことがある。特に、初心者、幼児、又は、子供等が面手拭いを着用することが非常に難しい。
【０００８】
また、初心者、幼児、又は子供は、稽古の途中、面手拭いが緩んできて目を隠したり、後頭部から面手拭いがズレ落ちてくることがある。そのため、稽古の際に面手拭いが妨げになったり、耳に痛みを与える恐れがある。
【０００９】
また、図１０及び図１１における面手拭いのつけ方によって面手拭いを巻きつける場合、額の部分が不規則に厚くなることがあり、面を着用する際に頭部に痛みを与える恐れがある。
【００１０】
上記の問題点に関係する従来技術として、例えば、韓国実用新案登録第１８４３８７号に記載された補助の面、又は韓国実用新案登録第１７５９３３号に記載の剣道の面が開示されている。前者は、面の内部に自在に着脱し、汗を吸収することができる補助の面である。後者は、面の顔部と耳部が柔らかい素材で形成され、面の重量感を減らし、着用時に心地よさの向上を図った面に関する。
【００１１】
【非特許文献１】韓国実用新案登録第１８４３８７号
【非特許文献２】韓国実用新案登録第１７５９３３号
【発明の開示】
【発明が解決しようとする課題】
【００１２】
そこで、本発明は、上記問題に鑑みてなされたものであり、本発明の目的とするところは、剣道用の面を着用する前に巻きつける面手拭いの代わりにかぶり、稽古の際に頭から垂れてくる汗を吸収し、又は頭に加わる衝撃を効果的に低減し、さらに、髪の毛が乱れにくくすることが可能な、新規かつ改良された剣道用の帽子を提供することにある。また、剣道用の面を容易に着用することができ、稽古の後には脱いで汗を拭き取れる剣道用の帽子を提供することにある。
【課題を解決するための手段】
【００１３】
上記課題を解決するために、本発明のある観点によれば、面を着用する前、頭にかぶる剣道用の帽子が提供される。前記剣道用の帽子は、着用者の額から前頭部まで覆う前面部と、該前面部から後方へ延長し着用者の側頭部及び後頭部を覆う背面部とを含み、前記前面部と背面部は二重の織物で、前記前面部は着用者の額に該当する部分に汗の吸収と緩衝のための二重覆い部を設けることを特徴とする。
【００１４】
また、前記背面部は着用者のうなじを覆うよう後方の下方へ延長し、前記背面部は着用者の両耳を覆うよう側方の下方へ延長することが好ましい。さらに、前記二重覆い部は、四重の織物で、その内部にはスポンジのような緩衝部を設けることが好ましい。また、前記背面部の両耳を覆う部分は音の円滑な疎通のために、他部より薄く形成するか、網状の布であるか、又は複数の穴が開いている聴覚維持部が設けられることが好ましい。さらに、前記二重の織物は、内皮と外皮からなりそれぞれ異なる色相や模様であるため裏返して着用することできることが好ましい。
【発明の効果】
【００１５】
以上説明したように本発明によれば、面手拭いをつける際に生じる手間を解消し、迅速かつ容易に面を着用することができる。また、耳を覆う構造であるため、面を着用する際に耳に痛みを与える恐れが低減される。なお、面の粗い部分に耳が触れることを防止し、面を着用した後、後頭部の髪の毛が外部から見えにくくなるように、うなじまで隠すことができるので、後姿の見た目が改善される。その結果、面手拭いをつけるのが苦手な人に便宜を提供することが可能になり、稽古に集中させ、剣道の普及に役に立つ。
【発明を実施するための最良の形態】
【００１６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。以下、上下左右の方向を示す場合は、帽子の装着者の顔が向いている方向を前方として左右を定義し、頭頂方向を上として上下を定義するものとする。
【００１７】
＜第１実施形態＞
図１は、本発明の第１実施形態に係る剣道用の帽子の前面部を示す斜視図である。図２は、本発明の第１実施形態に係る剣道用の帽子の背面部を示す斜視図である。
【００１８】
図１及び図２に示すように、本実施形態に係る剣道用の帽子１は、従来の長方形の面手拭いの代わりに、剣道用の面を着用する前に頭部に着用する剣道用の帽子であって、着用者（図７及び図８参照）の額から前頭部を覆うように前面部１０が形成され、前面部１０から後方（後頭部の方向）へ延長し、かつ、着用者の側頭部及び後頭部を覆うように背面部２０が形成されている。
【００１９】
前面部１０及び背面部２０は、例えば、一般的な面手拭いと同じ綿で形成されているか、これよりも汗を早く吸収し、乾燥することが可能な特性を有するポリエステル素材（例えば、ヂュポン社の商品名「ｃｏｏｌｍａｘ」等）などにより形成されうる。また、外皮（外表面）と内皮（内表面）とを略同一な形状に裁断して一体に裁縫することにより、帽子にある程度の厚みを持たせることができるため、着用時にゆるんだりすることなく安定した着用形態を維持することが可能になる。
【００２０】
本実施形態に係る剣道用の帽子は、面手拭いを巻きつけたり折り畳んだりして手間や時間がかけて着用した面手拭いのかぶり方とは異なり、簡単に自分の頭のサイズに合う帽子を選んでかぶれば良いため、面を着用する前の面倒な作業を省くことができる。また、初心者や幼児、子供はもちろんのこと、面手拭いを巻きつけることや折り畳むことが苦手な大人のためにも役に立つ。
【００２１】
また、本実施形態に係る剣道用の帽子１の背面部２０は、着用者のうなじまで覆うように後方の下方（頭頂付近から後頭部）へ延長し、着用者の両耳を覆うように側方の下方（頭頂付近から側頭部を経て下方の所定位置まで）へも延長する。
【００２２】
また、本実施形態に係る剣道用の帽子１は、前面部１０に着用者の額に該当する部分に頭から垂れてくる汗が着用者の目に入って稽古に妨げられることを防止し、稽古の際に外部から加わる衝撃が集中する額部分の緩衝のため、上下方向に所定の幅を有する帯状の二重覆い部１２が額を覆うよう設けられる。
【００２３】
二重覆い部１２は、前面部１０の内皮を額部分まで延長させ、前面部１０の外皮の外側（外表面上）に重なるように３重に裁縫することにより形成されうる。また、これを再び内側に縫込みをいれて４重に裁縫することで、緩衝効果及び汗の吸収容量を向上することができる。もちろん、二重覆い部１２は、さらに多くの生地を重畳して縫い合わせることにより、５重以上に形成することも可能である。
【００２４】
図１及び図２に示すように、本実施形態に係る剣道用の帽子１は、前面部１０と背面部２０とが別々に形成（裁断）され、左右方向に縫製した裁縫線３０によって一体に形成される。また、本実施形態に係る剣道用の帽子１の輪郭に沿って２本の裁縫線４０が形成されており、折り畳んだ状態や頭に着用した状態を安定的に保つことができる。
【００２５】
より詳細に述べると、本実施形態に係る剣道用の帽子１は、剣道用の面を着用する前に面手拭いの代わりに頭部に着用する剣道用の帽子あって、前記頭部の中で額から前頭部を覆うように形成された前面部１０と、前記前面部から後頭部方向に延長して形成され、前記頭部の中で側頭部及び後頭部を覆うように形成された背面部２０とを備えることを特徴とする。さらに、前面部１０は、主に、前面板２と、二重覆い部１２と、により構成される。そして、背面部２０は、主に、背面板３により構成される。前面板２は、例えば、額部分、頭頂部、及び左右の側頭部（こめかみ部分）が含まれる前頭部を少なくとも被覆するように形成される。二重覆い部１２は、例えば、所定の幅を有する帯状であり、額部分から左右の側頭部（こめかみ部分）まで延伸するように形成され、前面板２に重畳するように形成される。背面板３は、例えば、後頭部と側頭部とを被覆するように形成され、頭頂部より後方及び下方に位置する前面板２が被覆しない部分を被覆するように形成される。さらに、背面板３は、例えば、二重覆い部１２よりも下方に延伸するように形成されていてもよく、うなじ部分までを被覆するように形成されていてもよい。また、前面板２、背面板３、及び二重覆い部１２は、例えば、互いに縫合されていてもよい。
【００２６】
＜第２実施形態＞
図３は、本発明の第２実施形態に係る剣道用の帽子の前面部の斜視図である。図４は、本発明の第２実施形態に係る剣道用の帽子の背面部の斜視図である。
【００２７】
本実施形態に係る剣道用の帽子１は、図１及び図２に示した第１実施形態と類似した形状であると思われるかもしれないが、前面部１０及び背面部２０に関し、対称性を有する左右の側板４ａ及び４ｂと、左右の側板４ａ及び４ｂ間の中間板５とが裁縫されて一体に形成される点で相違する。
【００２８】
図１及び図２に示したように、第１実施形態に係る前面部１０及び背面部２０は、それぞれ裁断された前面板２と背面板３とが左右向きの裁縫線３０によって一体に形成されていた。しかし、本実施形態は、二つの側板４ａ及び４ｂと一つの中間板５とが前後方向に縫製した裁縫線３０’によって一体に形成されるため、前述した第１実施形態よりも頭の形状に合致しやすい立体的な形状を実現している。
【００２９】
＜第３実施形態＞
図５は、本発明の第３実施形態に係る剣道用の帽子の前面部の斜視図である。図６は、本発明の第３実施形態に係る剣道用の帽子の背面部の斜視図である。
【００３０】
本実施形態に係る剣道用の帽子１は、前述した第１実施形態と類似した形状であると思われるかもしれないが、前面部１０の二重覆い部１２の内部に緩衝材１４が設けられる点で相違する。緩衝材１４は、シリコーンパッドのような衝撃を吸収できる素材であればよく、緩衝の機能と汗の吸収及び排出機能とに優れたスポンジのような海綿体構造の緩衝材を用いるのが好ましい。
【００３１】
また、本実施形態に係る剣道用の帽子１は、背面部２０の両側にある着用者の耳を覆う部分に特徴的な構成を有する。例えば、本実施形態に係る剣道用の帽子１と共に剣道用の面を着用した状態では、着用者が外部からの音を聞きにくいことがあるため、上記の耳を覆う部分だけが、背面部２０の他の部分よりも薄く１重に形成されるか、部分的に網状の織物を用いるか、又は耳を覆う部分に一又は複数の穴を開ける等の多様な方式で形成される聴覚維持部２２が設けられる。
【００３２】
また、図示していないが、外皮と内皮からなっている２重の織物は、相異なる色相や模様を用いることによって裏返してかぶることができるように形成されていてもよい（所謂、リバーシブルな構成）。
【００３３】
本実施形態に係る剣道用の帽子は、一般の帽子と同様に幼児から大人まで、それぞれに適合するように、多様なサイズの製品を製造することが可能であるため、自分の頭のサイズに合うものを選ぶことができる。
【００３４】
図７は、上記の実施形態に係る剣道用の帽子を着用した状態を示す正面図である。図８は、上記の実施形態に係る剣道用の帽子を着用した状態を示す側面図である。図９は、上記の実施形態に係る剣道用の帽子をかぶり、その上に剣道用の面を着用した状態を示す背面図である。
【００３５】
着用者は、自分の頭のサイズに合う帽子を購入し、水泳帽やパイロットハットと同様に一度に着用すればよい。図７及び図８に示すように、前面部１０は、着用者の前頭部を覆う。背面部２０は、後頭部と側頭部を覆う。前面部１０の二重覆い部１２は、着用者の額を覆う。
【００３６】
上記の構成により、着用者が面を着用して稽古をするとき、二重覆い部１２は、相手の打撃が集中しやすい額の部分への衝撃を低減させ、頭部に加わる痛感を緩和することができる。また、厚めな二重覆い部１２は、着用者の頭や額から垂れてくる汗を吸収するため、汗が着用者の目に入ることを防ぐことが可能になる。
【００３７】
また、図７及び図８に示すように、着用者の耳Ｅは、背面部２０の側部によって覆われるため、その上に面を着用することで、耳が面の内部の粗い部分に触れることを防ぐことが可能になり、稽古の際に、耳部への痛感を緩和することができる。
【００３８】
また、上記の実施形態に係る剣道用の帽子は、面を容易に着用することができ、着用者の髪の毛が乱れを低減させる役割も果たす。また、図９に示すように、着用者の後頭部のうなじＮまで隠すため、面を着用しても髪の毛が見えず、後姿の見た目が改善される。
【００３９】
以上、添付図面を参照しながら本発明の好適な実施形態について説明したが、本発明は係る例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【図面の簡単な説明】
【００４０】
【図１】本発明の第１実施形態に係る剣道用の帽子の前面部の斜視図である。
【図２】本発明の第１実施形態に係る剣道用の帽子の背面部の斜視図である。
【図３】本発明の第２実施形態に係る剣道用の帽子の前面部の斜視図である。
【図４】本発明の第２実施形態に係る剣道用の帽子の背面部の斜視図である。
【図５】本発明の第３実施形態に係る剣道用の帽子の前面部の斜視図である。
【図６】本発明の第３実施形態に係る剣道用の帽子の背面部の斜視図である。
【図７】本発明の一実施形態に係る剣道用の帽子を被った状態を示す正面図である。
【図８】本発明の一実施形態に係る剣道用の帽子を被った状態を示す側面図である。
【図９】本発明の一実施形態に係る剣道用の帽子を被り、その上に面を着用した状態を示す背面図である。
【図１０】従来の長方形の面手拭いを巻きつける方法を示す説明図である。
【図１１】従来の長方形の面手拭いを巻きつける他の方法を示す説明図である。
【図１２】従来の長方形の面手拭いを折り畳む方法を示す説明図である。
【符号の説明】
【００４１】
１    剣道用の帽子
２    前面板
３    背面板
４ａ、４ｂ    側板
５    中間板
１０    前面部
１２    二重覆い部
１４    緩衝材
２０    背面部
２２    聴覚維持部
３０    裁縫線（左右向き）
３０’    裁縫線（前後向き）
４０    裁縫線（輪郭）
５０    面
Ｅ    着用者の耳
Ｎ    着用者のうなじ
【図１】
2007217859.tif 000003
【図２】
2007217859.tif 000004
【図３】
2007217859.tif 000005
【図４】
2007217859.tif 000006
【図５】
2007217859.tif 000007
【図６】
2007217859.tif 000008
【図７】
2007217859.tif 000009
【図８】
2007217859.tif 000010
【図９】
2007217859.tif 000011
【図１０】
2007217859.tif 000012
【図１１】
2007217859.tif 000013
【図１２】
2007217859.tif 000014